(57)【要約】  【課題】  ポケットに入れても全く嵩張らず、耐久性に秀れ、軽量で気軽に携帯できる上、誰でも簡単且つ綺麗にマーキングすることができるゴルフボール用の新たなマーキング技術を提供する。  【解決手段】  短冊形状（４，４，……）同士を同一平面上において適宜開き角度で交叉状に組み合わせ、合体してなる平面外郭形状とした平板形状、軟質フィルム製のプレート本体３を有し、該プレート本体３各短冊形状部４，４，……の適所両がわ夫々に抑え部５，５を確保した巾方向適所に、マーキング孔７を少なくとも１個穿設すると共に、各短冊形状部４，４，……の基端同士が互いに合体する結節部６にも周囲とは異なるマーキング孔７を少なくとも１個穿設してなるマーキング用テンプレート２である。【選択図】    図１
2011224222.tif 000002
【特許請求の範囲】
【請求項１】
軟質フィルム製の短冊状か、または、短冊形状同士を同一平面上において適宜開き角度で交叉状に組み合わせ、合体してなる平面形状かの何れかの外郭形状とした平板形状のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設してなるものとしたことを特徴とするマーキング用テンプレート。
【請求項２】
軟質フィルム製の短冊状か、または、短冊形状同士を同一平面上において適宜開き角度で交叉状に組み合わせ、合体してなる平面形状かの何れかの外郭形状とした平板形状のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設してなり、ゴルフボールの表面適所にマーキング孔を対応させるよう当該プレート本体をその柔軟性を利用して重ね合わせ、該マーキング孔の両がわに相当する各抑え部を抑えて固定状とした上、該マーキング孔内に露出するゴルフボール表面に、マーキングペンなどで塗り込むようマーキング可能としてなるものとしたことを特徴とするマーキング用テンプレート。
【請求項３】
短冊形状同士を同一平面上において適宜開き角度で交叉状に組み合わせ、合体してなる平面外郭形状とした平板形状、軟質フィルム製のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設すると共に、各短冊形状部の基端同士が互いに合体する結節部に、周囲と異なる形状の適宜マーク形状で肉厚方向に貫通するマーキング孔を少なくとも１個穿設してなるものとしたことを特徴とするマーキング用テンプレート。
【請求項４】
短冊形状同士を同一平面上にて互いに等しい開き角度を以て遠心、放射形状に交叉するよう組み合わせ、合体してなる平面外郭形状とした平板形状、軟質フィルム製のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設すると共に、各短冊形状部の基端同士が互いに放射形状に合体する結節部に、周囲と異なる形状の適宜マーク形状で肉厚方向に貫通するマーキング孔を少なくとも１個穿設してなるものとしたことを特徴とするマーキング用テンプレート。
【請求項５】
請求項１ないし４何れか一項記載のマーキング用テンプレートであって、そのプレート本体が、厚さ１ｍｍ前後の有色透明、軟質合成樹脂フィルム製で、ゴルフボール表面に重ね合わせ可能な少なくとも一側面が、マーキング作業中にゴルフボール表面で滑らない程度の摩擦を確保してなるものとした、請求項１ないし４何れか一項記載のマーキング用テンプレート。
【請求項６】
請求項１ないし５何れか一項記載のマーキング用テンプレートであって、互いに異なるマーキング孔を形成してなる複数枚のマーキング用テンプレート同士を１組とするよう同一包装内に一まとめにしてなるものとした、請求項１ないし５何れか一項記載のマーキング用テンプレートを利用したテンプレートセット。                                            
【発明の詳細な説明】
【技術分野】
【０００１】
この発明は、立体や平面体などへのマーキング技術に関連するものであり、特に、各種ボールやスポーツ用品類、遊具類、玩具類など様々な物品適所へのマーキングを可能とするテンプレートを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                              
【背景技術】
【０００２】
（着目点）
ゴルフのプレー中に２００ヤード以上の飛距離に達するゴルフボールは、同時にラウンドする他者のボールやロストボールなどとの識別が困難となるため、各プレーヤー毎に異なるメーカー（トレードマーク）のボールを使用したり、互いに異なる番号が表示されたボールを使用するなどして、各人のボールを個別に識別可能な状態で各ホールを回らなければならないが、こうしたトレードマークや小さく表示された番号のみを利用して、プレー中の全体に渡って正確に識別し続けるのは非常に煩雑なものであり、こうした不都合を解消するために、各人毎に異なる色や形のマークを油性マーキングペンや塗料吹き付けなどによって表示するか、薄膜皮膜状の粘着シールを貼着してマーキングすることなどが行われている。
【０００３】
しかし、これら単純な手描きのマークなどは、僅かな手元の狂いでボールを汚してしまったり、ボールの美感を損ねてしまうなど、マーキング作業に失敗してしまう可能性が高く、こうした弊害を避けるには、プリント工場などに注文して個々人毎に異なるマーキング加工やネーム入れなどを施すことも可能ではないが、このゴルフボールへのプリントサービスは、自分で描き込むような手軽さは無く、発注から完成までに手間と時間とを要する上、経済的負担が大きいという課題があった。
【０００４】
（従来の技術）
こうした状況を反映し、その打開策となるような提案もこれまでに散見されない訳ではない。
例えば、特許文献１（１）ないし（３）に見られるように、各種のスタンプ装置類を利用してゴルフボール表面に文字やマーク等をスタンプ加工する技術、および、同特許文献１（４）ないし（９）に開示されているもののように、ゴルフボールを嵌め込み可能な半球状の型枠を利用して、マーキングペンなどを用いてゴルフボール表面に文字やマーク等を表示する技術などがそれに相当する。
【０００５】
しかし、前記特許文献１（１）ないし（３）のスタンプ型のマーキング技術は、必ずスタンプ機構を必要とするから、構造が複雑で大型化してしまって高価なものとなり、消費者が、例えばポケットなどに入れて気軽に携帯して利用および収納保管できるものではないという欠点があり、また、特許文献１（４）ないし（９）に代表する立体型枠を利用するマーキング技術は、型枠がボール表面に装着可能な立体形状で使い易いという利点がある反面、その立体形状が災いし、ポケットに入れての携帯性や収納性などに難があり、収納や運搬中に受ける外力などで圧縮変形、破損してしまう虞があるなどといった欠点を有していた。                                                                                  
【特許文献１】（１）特開平１１−１２８４０４号公報    （２）特開平９−１１４１号公報    （３）特開２００６−３４１０６３号公報    （４）特開２００２−３４６００４号公報    （５）特開平６−１５４３６０号公報    （６）実開平６−２６９２３号公報    （７）実用新案登録第３１３３７２０号公報    （８）実用新案登録第３１３８０７６号公報    （９）実用新案登録第３１４９３３６号公報
【発明の開示】
【発明が解決しようとする課題】
【０００６】
（問題意識）
上述したとおり、従前までに提案のある各種マーキング技術は、何れもスタンプ型や型枠を利用した描込み型のものなど、一応、各個人が手軽に利用できるものとなってはいるものの、必ずゴルフボールよりも大型のものとなって嵩張り、携帯性や保管性に難があるため、ポケットなどに入れて気軽に持ち運び、何処ででも簡便に利用できるマーキング器具類を希望する顧客のニーズには全く応えきれていないという状況にあり、その結果、マーキングをしないままにプレーをされてしまい、ボールを間違えてメンバーに迷惑を掛けてしまうだけではなく、プレーそのものの進行に支障を来すことにも繋がり、他のパーティーにまでも不愉快な思いをさせてしまうといった事態に繋がることもある。
【０００７】
（発明の目的）
そこで、この発明は、ポケットに入れても全く嵩張らず、耐久性に秀れ、軽量で気軽に携帯できる上、誰でも簡単且つ綺麗にマーキングすることができるゴルフボール用の新たなマーキング技術の開発はできないものかとの判断から、逸速くその開発、研究に着手し、長期に渡る試行錯誤と幾多の試作、実験とを繰り返してきた結果、今回、遂に新規な構造のマーキング用テンプレート、およびそれを利用したテンプレートセットを実現化することに成功したものであり、以下では、図面に示すこの発明を代表する実施例と共に、その構成を詳述することとする。                                                                                        
【課題を解決するための手段】
【０００８】
（発明の構成）
図面に示すこの発明を代表する実施例からも明確に理解されるように、この発明のマーキング用テンプレートは、基本的に次のような構成から成り立っている。
即ち、軟質フィルム製の短冊状か、または、短冊形状同士を同一平面上において適宜開き角度で交叉状に組み合わせ、合体してなる平面形状かの何れかの外郭形状とした平板形状のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設してなるものとした構成を要旨とするマーキング用テンプレートである。
【０００９】
この基本的な構成からなるマーキング用テンプレートは、その表現を変えて示すならば、軟質フィルム製の短冊状か、または、短冊形状同士を同一平面上において適宜開き角度で交叉状に組み合わせ、合体してなる平面形状かの何れかの外郭形状とした平板形状のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設してなり、ゴルフボールの表面適所にマーキング孔を対応させるよう当該プレート本体をその柔軟性を利用して重ね合わせ、該マーキング孔の両がわに相当する各抑え部を抑えて固定状とした上、該マーキング孔内に露出するゴルフボール表面に、マーキングペンなどで塗り込むようマーキング可能としてなるものとした構成からなるマーキング用テンプレートとなる。
【００１０】
より具体的には、短冊形状同士を同一平面上において適宜開き角度で交叉状に組み合わせ、合体してなる平面外郭形状とした平板形状、軟質フィルム製のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設すると共に、各短冊形状部の基端同士が互いに合体する結節部に、周囲と異なる形状の適宜マーク形状で肉厚方向に貫通するマーキング孔を少なくとも１個穿設してなるものとしたマーキング用テンプレートとなる。
【００１１】
これを換言すると、短冊形状同士を同一平面上にて互いに等しい開き角度を以て遠心、放射形状に交叉するよう組み合わせ、合体してなる平面外郭形状とした平板形状、軟質フィルム製のプレート本体を有し、該プレート本体各短冊形状部の長尺寸法方向適所であって、同所の両がわ夫々に抑え部を確保可能となるようにした巾方向適所に、適宜マーク形状で肉厚方向に貫通するマーキング孔を、少なくとも１個穿設すると共に、各短冊形状部の基端同士が互いに放射形状に合体する結節部に、周囲と異なる形状の適宜マーク形状で肉厚方向に貫通するマーキング孔を少なくとも１個穿設してなるものとしたマーキング用テンプレートと云うことができる。
【００１２】
（関連する発明）
上記したマーキング用テンプレートに関連し、この発明には、そのマーキング用テンプレートを利用したテンプレートセットも包含している。
即ち、この発明の基本をなす前記マーキング用テンプレートであって、互いに異なるマーキング孔を形成してなる複数枚のマーキング用テンプレート同士を１組みとするようにして同一包装内に一まとめにしてなるものとした、この発明の基本をなす前記マーキング用テンプレートを利用したテンプレートセットである。                                      
【発明の効果】
【００１３】
以上のとおり、この発明のマーキング用テンプレートによれば、従前までのものとは違い、上記したとおりの固有の特徴ある構成から、軟質フィルム製で平板形状のプレート本体からなり、従来型の半球（立体）型枠状のものなどに比較して遙かに薄型で嵩張ることもなく、複数枚であっても重ねてポケットなどに収納することができ、格段に携帯性に秀れたものとすることができる上、各部が柔軟に変形するからゴルフボールなどの球形体の表面に添って密着状に追従、変形可能で、マーキング孔両がわ夫々の抑え部を抑え込むようゴルフボール諸共片手で把持することができ、もう片方の手でマーキングペンなどを用いて正確にマーキングすることができるものとなり、しかも軟質フィルム製のマーキング用テンプレートは、その卓抜した弾性によって、輸送中や携帯中などに割れや塑性変形などの破損の虞が殆ど無く、格段に秀れた耐久性を有するものとすることができるという大きな特徴を有するものとなる。
【００１４】
と同時に、短冊形状同士を同一平面上において適宜開き角度で交叉状に組み合わせ、合体してなる平面外郭形状とした平板形状、軟質フィルム製のプレート本体を有するマーキング用テンプレートとなることから、その蛸足状にした構成が、ゴルフボール外側に添設状としたまま同ボール自体をその中に止め置き、指で掴む状態を持続可能とするものとなり、これを換言すると、平面状のマーキング用テンプレートに皺や浮き上がりなどを発生さぜずにゴルフボールなどの球面体外表面に添って密着状に馴染ませるのに有効な形状であり、より多数、多種類のマーキング孔を形成したマーキング用テンプレートを提供可能という効果が期待できる。
【００１５】
加えて、短冊形状同士を同一平面上にて互いに等しい開き角度を以て遠心、放射形状に交叉するよう組み合わせ、合体してなる平面外郭形状とした平板形状、軟質フィルム製のプレート本体を有するマーキング用テンプレートにできるから、一段と均等で皺や浮き上がりの少ない包み込みを実現可能とするものとなり、特に、各短冊形状部の基端同士が互いに放射形状に合体する結節部に形成したマーキング孔を利用してマーキングする場合にも、軟質フィルムの密着状配置を格段に確実なものとすることができ、何れのマーキング孔を利用した場合であっても正確なマーキングを実現化できるものとなるという利点も得られる。
【００１６】
また、プレート本体が、厚さ１ｍｍ前後の有色透明、軟質合成樹脂フィルム製で、ゴルフボール表面に重ね合わせ可能な少なくとも一側面が、マーキング作業中にゴルフボール表面で滑らない程度の摩擦を確保してなるものは、充分な厚みで耐久強度を高めて、割れや亀裂、折り目の発生などをより確実に防止できると共に、秀れた柔軟性を確保できる上、有色透明であるから、複数枚のマーキング用テンプレートを個別に識別し易く、しかもゴルフボール表面に重ね合わた場合に、ゴルフボール表面を透かし見て、より一層正確な位置決めを達成可能とすることができるものになるという秀れた特徴が得られるものである。
【００１７】
さらに、互いに異なるマーキング孔を形成してなる複数枚のマーキング用テンプレート同士を１組とするよう、同一包装内に一まとめにした、この発明の基本をなすマーキング用テンプレートを利用するテンプレートセットは、軟質フィルム製の平板形状のプレート本体からなるマーキング用テンプレートの平面状薄型であるという特徴を活かし、従来型の半球形型枠状などの立体形状のテンプレートに比較して携帯性および保管性が格段に秀れると共に、より多くのテンプレートをまとめて取り扱うのに有利であって、互いに異なる形状のマーキング孔のマーキング用テンプレートを沢山準備するのに有利になるという、従来型のテンプレートでは全く得られなかった極めて実用的な効果をもたらすものとなる。                                                                                    
【発明を実施するための最良の形態】
【００１８】
上記したとおりの構成からなるこの発明の実施に際し、その最良もしくは望ましい形態について説明を加えることにする。
プレート本体は、当該マーキング用テンプレートそれ自体の全体を柔軟性を有した平板形状のものに形成する機能を果たすものであり、軟質フィルム製の短冊状か、または、短冊形状同士を同一平面上において適宜開き角度で交叉状に組み合わせ、合体してなる平面形状かの何れかの外郭形状とした平板形状のものとしなければならず、有色透明の軟質合成樹脂製のものとするのが望ましいと云える。
【００１９】
そして、その全体形状が、例えば短冊状部が形成するＩ型帯状や、短冊状部部同士の組み合わせからなるアルファベット、漢字、平仮名、数字などを含む各国、各種の文字型や、各種記号型、または、星型、海星型、花型など様々な平面形状のものとすることが可能であり、合成樹脂フィルムにプレス加工による裁断を施して製造したものや、射出成型などによるものなど様々な加工によって製造したものとすることができ、後述する実施例に示すように、短冊形状同士を同一平面上にて互いに等しい開き角度を以て遠心、放射形状に交叉するよう組み合わせ、合体してなる平面外郭形状とした平板形状のものとするなど、ゴルフボール外側に添設状としたまま同ボール自体をその中に止め置き、指で掴む状態を持続可能とするに適した輪郭形状のもの、換言すると平面状のものを球面体外側に馴染ませるのに有効な外郭形状ものであれば、特にその輪郭形状に制約はなく、どのようなものであっても採用可能となることは云うまでもない。
【００２０】
この短冊形状部は、軟質フィルムの肉厚方向に貫通する少なくとも１個のマーキング孔を形成し、該マーキング孔をゴルフボールの表面に沿って配するよう当該軟質フィルムを重ね合わせ、同マーキング孔の周囲適所をズレ動かないよう手指で抑え込み可能とする機能を担い、短冊形状の軟質フィルムに、肉厚方向に貫通するマーキング孔を、少なくとも１個形成とすると共に、各マーキング孔の同一平面上の両がわ夫々に抑え部を確保可能なものとしなければならず、当該短冊状には、所謂矩形状以外に、多角形や円形、楕円形や雲形状などといった様々な不定形輪郭のものも含むものであるということができ、後述する実施例に示すように、外角形状の角部を面取りして取り扱いし易くしたものとするのが望ましい。
【００２１】
抑え部は、短冊形状部の長尺寸法方向適所であって巾方向適所に穿設してなる、少なくとも１個のマーキング孔の両がわ夫々に、該短冊形状部マーキング孔をゴルフボールの表面に沿って重ね合わせ状に配した場合に、同マーキング孔の両がわを手指で抑え込み状に固定可能とする抑え代部分を形成可能とする機能を果たし、１個のマーキング孔の両がわか、または、複数個が近接配置したマーキング孔群の両がわかの何れかに、夫々指で押さえ込み可能な面積を確保するよう形成したものとすべきである。
【００２２】
結節部は、短冊形状同士を同一平面上において適宜開き角度で交叉状に組み合わせてなるプレート本体の合体部分となる機能を果たし、プレート本体の平板形状と同一平面上に形成し、充分な柔軟性と耐久強度とを確保したものとしなければならず、該結節部の中央付近にもマーキング孔を少なくとも１個穿設したものとすることができ、この場合には、結節部の１個のマーキング孔の両がわか、または、複数個が近接配置したマーキング孔群の両がわかの何れかに対応する短冊形状部が抑え部を形成するものとなる。
【００２３】
マーキング孔は、マーキング用テンプレートプレート本体の適所にマーキング用のガイド孔を形成する機能を担い、様々なマーキングに適した文字や印を模した型枠形状の貫通孔としなければならず、個々のゴルフボールの持ち主を特定可能とする識別マークや、ゴルフボール表面に中心線や打撃方向を表示する直線や矢印などを描き込むのに適した型形状のものなど、様々な表示目的を達成可能なものとすることができる。
【００２４】
ゴルフボールは、マーキングの対象物であって、それ以外の立体形状物品に置き換えることも勿論可能であり、例えば、卓球ボール、野球ボール、サッカーボールなどの様々なボール類の外、クラブ、バット、ラケット、グローブ、ヘルメットなどの各種スポーツ用品類や各種遊具類、または、その他の生活用品類や工業用品類などあらゆる物品をマーキングの対象物品とすることができ、また、マーキングに用いる筆記具は、マーキングペンのみに限定されるものではなく、それ以外のインクを利用した筆記具や、塗装用塗料、スプレー塗料類など、プレート本体に形成したマーキング孔の形状に沿って染色や着色可能な様々な表示技術を利用することが可能である。
以下では、図面に示すこの発明を代表する実施例と共に、その構造について詳述することとする。                                                                                    
【実施例１】
【００２５】
図１のマーキング用テンプレートの正面図および側面図、図２のマーキング孔形状の異なるマーキング用テンプレートの正面図および側面図、図３のさらにマーキング孔形状の異なるマーキング用テンプレートの正面図および側面図、図４のテンプレートセットの正面図、図５の利用中のマーキング用テンプレートの斜視図、図６のマーキング中のマーキング用テンプレートの斜視図、および、図７の利用中のマーキング用テンプレートの斜視図、に示す事例は、短冊形状（４，４，……）同士を同一平面上において適宜開き角度で交叉状に組み合わせ、合体してなる平面外郭形状とした平板形状、軟質フィルム製のプレート本体３を有し、該プレート本体３各短冊形状部４，４，……の適所両がわ夫々に抑え部５，５を確保した巾方向適所に、マーキング孔７を穿設すると共に、各短冊形状部４，４，……の基端同士が互いに合体する結合部６にもマーキング孔７を穿設してなるものとした、この発明のマーキング用テンプレートにおける代表的な一実施例を示すものである。
【００２６】
図１ないし図３からも明確に把握できるとおり、この発明のマーキング用テンプレート２は、厚さ１ｍｍ前後の有色透明、軟質合成樹脂フィルム製であって、６枚の短冊形状（４，４，……）同士を同一平面上にて互いに等しい６０°の開き角度を以て遠心、放射形状に交叉するよう組み合わせ、合体してなる平面外郭形状とした平板形状のプレート本体３を有し、該プレート本体３各短冊形状部４，４，……の長尺寸法方向適所であって、同所の両がわ夫々に抑え部５，５を確保可能となるようにした巾方向適所に、円形、三角形、星型、矢印、ハート型、クローバー型、ダイヤ型、スペード型、花型、音符型、稲妻型、滴型、ワイングラス型などの各種マーク形状で肉厚方向に貫通するマーキング孔７，７，……を、夫々少なくとも１個穿設すると共に、各短冊形状部４，４，……の基端同士が互いに放射形状に合体する結節部６に、周囲と異なる六角形状や直線形状などの適宜マーク形状で肉厚方向に貫通するマーキング孔７を穿設してなるものとする。
【００２７】
また、図２に示すように、結節部６から１８０°の開き角度をもって隣接する短冊形状部４，４に掛けて、ゴルフボール８の中心位置を示す直線を誘導可能な直線スリット形状の２本のマーキング孔７，７を穿設したものとすることが可能であり、さらに、何れか１つの短冊形状部４の先端がわには、ストラップやキーホルダーなどに連結可能な吊下用孔４０を穿設してあり、当該マーキング用テンプレート２の直径最大寸法Ｌ（図１中に示す）は、ゴルフボール８の全円周寸法未満で、且つ同円周寸法の１／２以上に設定し、該プレート本体３の表裏面は共に、その軟質合成樹脂フィルム本来の性質により、マーキング作業中にゴルフボール８表面で滑らない程度の摩擦を確保したものとしてある。
【００２８】
図１ないし図４に示すように、平面外郭形状および外郭寸法が同じで、互いに異なる色やマーキング孔７，７，……となるよう組み合わせた合計３枚のマーキング用テンプレート２，２，２同士を１組みとするよう、透明合成樹脂製であって、上端寄りの左右巾中央に店頭什器類などに吊下展示可能とするフック用孔付きの包装袋１０内に一まとめに収容し、テンプレートセット１としてなるものとすることができる。
【００２９】
（実施例１の作用・効果）
以上のとおりの構成からなるこの発明のマーキング用テンプレート２、およびそれを利用したテンプレートセット１は、図４中に示すように、３枚の色や各マーキング孔７，７，……形状の異なるマーキング用テンプレート１，１，１を１つの包装袋１０に同梱包装してあり、同包装袋１０上端寄り適所のフック用孔を利用して、店頭什器などのフックに吊下展示して販売することが可能であり、当該テンプレートセット１を購入した利用者は、３枚の中から好みや目的などの条件に応じて任意に選択したマーキング孔７が形成されているマーキング用テンプレート２を選択し、例えば図５および図６中に示すように、結節部６の六角形のマーキング孔７を利用してゴルフボール８にマーキングしようとする場合には、当該マーキング用テンプレート２の透明な樹脂フィルムを透かし見ながら、該六角形のマーキング孔７をゴルフボール８のマーキングしようとする表面適所に対応させるように結節部６を重ね合わせると共に、該六角形のマーキング孔７を挟み、１８０°の開き角度をもって延伸する一対の短冊形状部４，４、およびそれら短冊形状部４，４基端部付近である抑え部５，５を片手の指で押さえ込み、当該マーキング用テンプレート２でゴルフボール８を、その周壁面に添わせて包み込むように保持した上、該六角形のマーキング孔７の内側に露出するゴルフボール８の表面に、もう片方の手でマーキングペン９を利用して六角形のマーキングを施すことが可能となる。
【００３０】
各マーキング用テンプレート２，２，２は、夫々の表裏面が共にゴルフボール８の表面に重ね合わせて求心方向に押圧すると、充分な摩擦力を発揮して不用意に滑り動かないように確り固定できるから、誰にでも正確なマーキング作業を簡単に達成可能なものとなり、また、図７に示すように、何れか任意に選択したマーキング用テンプレート２の何れかの短冊形状部４に形成された例えば、ハート型のマーキング孔７を利用してゴルフボール８にマーキングする場合には、該ハート型のマーキング孔７をゴルフボール８表面のマーキング目標とする適所に対応させると共に、該ハート型のマーキング孔７の両がわであって同短冊形状部４の先端がわと基端がわである抑え部５，５を片手の指で押さえ込むよう固定した上、もう片方の手に把持したマーキングペン９で当該ハート型のマーキング孔７内に露出するゴルフボール８表面を塗りつぶすようにしてハート型のマーキングを施すことができる。
【００３１】
（結  び）
叙述の如く、この発明のマーキング用テンプレート、およびそれを利用したテンプレートセットは、その新規な構成によって所期の目的を遍く達成可能とするものであり、しかも製造も容易で、従前からの各種マーキング技術に比較して大幅に耐久性を高め、軽量且つ低廉化して遥かに経済的なものとすることができる上、柔軟な薄平板形状によって収納性や携帯性にも秀れ、ゴルフボールにも柔軟に添設状となり、マーキング作業性を大幅に改善し得るものとなることから、従前までの立体型枠状で携帯性や収納性の悪いテンプレートに辟易していて、軽快に持ち運び、何処でも簡便に利用できるマーキング器具類の一日も早い提供を希望するゴルファーはもとより、こうした顧客ニーズに応じようとするゴルフ用品業界やスポーツ用品業界においても高く評価され、広範に渡って利用、普及していくものになると予想される。                                                                                      
【図面の簡単な説明】
【００３２】
図面は、この発明のマーキング用テンプレート、およびそれを利用したテンプレートセットの技術的思想を具現化した代表的な幾つかの実施例を示すものである。
【図１】マーキング用テンプレートを示す正面図および側面図である。
【図２】マーキング孔形状の異なるマーキング用テンプレートを示すの正面図および側面図である。
【図３】さらにマーキング孔形状の異なるマーキング用テンプレートを示す正面図および側面図である。
【図４】テンプレートセットを示す正面図である。
【図５】利用中のマーキング用テンプレートを示す斜視図である。
【図６】マーキング中のマーキング用テンプレートを示す斜視図である。
【図７】利用中のマーキング用テンプレートを示す斜視図である。
【符号の説明】
【００３３】
１      テンプレートセット
１０    同  包装袋（包装）
２      マーキング用テンプレート
３      プレート本体
４      短冊形状部
４０    同  吊下用孔
５      抑え部
６      結節部
７      マーキング孔
Ｌ      マーキング用テンプレートの直径最大寸法
８      ゴルフボール
９      マーキングペン                                                                                              
【図１】
2011224222.tif 000003
【図２】
2011224222.tif 000004
【図３】
2011224222.tif 000005
【図４】
2011224222.tif 000006
【図５】
2011224222.tif 000007
【図６】
2011224222.tif 000008
【図７】
2011224222.tif 000009